(57)【要約】【課題】初心者や高齢者、あるいは低年齢のプレーヤ等のように、とくにパッティング技術に習熟していないプレーヤであっても容易にかつ楽しくゴルフが楽しめるようにしたゴルフ用ホールを提供する。【解決手段】カップ２３を挿入した中心孔２２の外周側に、この中心孔２２よりも大きくてその直径が１０９〜１０１０ｍｍの範囲内の円形凹部２６を深さが１０〜３００ｍｍの範囲内で形成し、この凹部２６をホールとして用いる。【選択図】図２
0003176866.tif 000002
【実用新案登録請求の範囲】
【請求項１】
ゴルフ場のグリーン上に設けられるホールにおいて、
カップを挿入する中心孔の周囲に凹部が形成され、前記凹部内に前記カップが挿入される中心孔が配されるゴルフ用ホール。
【請求項２】
前記凹部が円形である請求項１に記載のゴルフ用ホール。
【請求項３】
前記凹部は、その外周部の直径が１０９〜１０１０ｍｍの範囲内である請求項２に記載のゴルフ用ホール。
【請求項４】
前記凹部は、その深さが１０〜３００ｍｍの範囲内である請求項２あるいは請求項３に記載のゴルフ用ホール。
【請求項５】
前記凹部の底面にシートが敷設される請求項１〜４の何れかに記載のゴルフ用ホール。
【請求項６】
前記凹部の中心、または中心に対して偏心して前記カップが挿入される中心孔が配される請求項１または請求項２に記載のゴルフ用ホール。
【請求項７】
前記凹部の底面が平坦である請求項１〜６の何れかに記載のゴルフ用ホール。
【請求項８】
前記凹部の底面が、前記カップが挿入される中心孔が配される位置が最も低く、前記カップに向って下方に傾斜している請求項１〜６の何れかに記載のゴルフ用ホール。
【請求項９】
前記凹部の底面が、前記カップが挿入される中心孔が配される位置が最も高く、前記カップに向って上方に傾斜している請求項１〜６の何れかに記載のゴルフ用ホール。
【請求項１０】
前記凹部が多段に形成され、中心側の凹部の方が外周側の凹部よりも低くなっている請求項１〜６の何れかに記載のゴルフ用ホール。
【請求項１１】
前記凹部の外周側の垂直な壁面にリング状または帯状の崩壊防止用押えが装着される請求項１〜１０の何れかに記載のゴルフ用ホール。
【考案の詳細な説明】
【技術分野】
【０００１】
本考案はゴルフ用ホールに係り、とくにゴルフ場のグリーンに設けられ、ゴールを構成するゴルフ用ホールに関する。
【背景技術】
【０００２】
ゴルフは、ティーグラウンド場のティーマークの後方の所定の範囲内の位置からボールを打って、フェアウエーを順次進み、やがてグリーンのホールにこのボールをクラブで入れるまでの打数の合計を競う競技である。ここでとくにゴールとなるホールは、その直径が１０８ｍｍであって、高さが例えば１７０ｍｍのカップをグリーン上に穿設された直径が１０８ｍｍであって深さが２００ｍｍの円形の穴内に挿入している。ここでカップの中心部には、先端に旗が取付けられたポールの下端部に形成されるヘラール部を挿入保持するようにしている。
【０００３】
このようにゴルフ場のグリーンに形成されるホールは、その直径が１０８ｍｍの円形の穴であるために、この穴内にパターでボールを打って入れるのがかなり難しい。とくにグリーンのホールの近傍が傾斜している場合には、さらに難しくなる。
【０００４】
グリーンのホールにボールを入れるためにパッティングを何回も繰返すようになると、後続の組のプレーヤが待機しなければならず、これによって競技の流れが悪化する。とくに初心者の場合には、ホールに入れるためのパッティングの回数がさらに多くなってより多くの時間を要し、ゴルフ場における競技の流れが円滑に行かなくなる。また低年齢であってジュニアのゲーム等の場合においては、何回もパッティングを行なうとやがて嫌気をさしてきて競技が円滑に進まなくなる問題がある。
【先行技術文献】
【特許文献】
【０００５】
【特許文献１】特開２００２−１９１７４１号公報
【特許文献２】特開２００２−２６３２２７号公報
【考案の概要】
【考案が解決しようとする課題】
【０００６】
本願考案の課題は、ゴルフのゲームの流れが円滑に進行するようにしたゴルフ用ホールを提供することである。
【０００７】
本願の別の課題は、初心者でも比較的簡単にボールをホール内に入れることができるようにしたゴルフ用ホールを提供することである。
【０００８】
本願のさらに別の課題は、低年齢のジュニアのプレーヤであっても、打数を重ねることなく比較的簡単に入れることができるゴルフ用ホールを提供することである。
【０００９】
本願の上記の課題および別の課題は、以下に述べる本願考案の技術的思想、およびその実施の形態によって明らかにされる。
【課題を解決するための手段】
【００１０】
本願の主要な考案は、
ゴルフ場のグリーン上に設けられるホールにおいて、
カップを挿入する中心孔の周囲に凹部が形成され、前記凹部内に前記カップが挿入される中心孔が配されるゴルフ用ホールに関するものである。
【００１１】
ここで、前記凹部が円形であってよい。また前記凹部は、その外周部の直径が１０９〜１０１０ｍｍの範囲内であってよい。また前記凹部は、その深さが１０〜３００ｍｍの範囲内であってよい。また前記凹部の底面にシートが敷設されてよい。また前記凹部の中心、または中心に対して偏心して前記カップが挿入される中心孔が配されてよい。
【００１２】
また、前記凹部の底面が平坦であってよい。また前記凹部の底面が、前記カップが挿入される中心孔が配される位置が最も低く、前記カップに向って下方に傾斜していてよい。また前記凹部の底面が、前記カップが挿入される中心孔が配される位置が最も高く、前記カップに向って上方に傾斜していてよい。また前記凹部が多段に形成され、中心側の凹部の方が外周側の凹部よりも低くなっていてよい。また前記凹部の外周側の垂直な壁面にリング状または帯状の崩壊防止用押えが装着されてよい。
【考案の効果】
【００１３】
本願の主要な考案は、ゴルフ場のグリーン上に設けられるホールにおいて、カップを挿入する中心孔の周囲に凹部が形成され、前記凹部内に前記カップが挿入される中心孔が配されるようにしたものである。
【００１４】
従ってこのようなゴルフ用ホールによると、カップの周囲に形成された凹部をゴールとなるホールとすることができる。ここで凹部がカップを挿入する中心孔よりも大きな直径を有しているために、容易に凹部内にボールを入れることができるようになり、初心者や低年齢のジュニアのプレーヤであっても、何回もパッティングを行なうことなく凹部にボールを入れてゲームを進行することが可能になる。従って他の組のプレーヤが待機する時間が短縮され、あるいはまたゴルフの愛好者の層を拡げることが可能になる。
【図面の簡単な説明】
【００１５】
【図１】ゴルフ場のコースの平面図である。
【図２】グリーンの斜視図である。
【図３】グリーン上のホールの平面図である。
【図４】ホールの縦断面図である。
【図５】変形例のホールの縦断面図である。
【図６】崩壊防止用押えを示す斜視図である。
【図７】円形凹部内におけるカップ孔の位置を示す平面図である。
【考案を実施するための形態】
【００１６】
以下本願考案を図示の実施の形態によって説明する。図１は本実施の形態のゴルフ用ホールを備えるゴルフのコースを示すものであって、ゴルフのコースは、ティーグラウンド１０と、フェアウエイ１１と、グリーン１２とから構成される。ティーグラウンド１０にはその前端側に一対のティーマーク１３が配置されており、これらのティーマーク１３を結ぶ線の後側で第一打をドライバ等のクラブによって打つことになる。フェアウエイ１１の片側あるいは両側には、適宜フェアウエイバンカー１４が配される。またグリーン１２の周囲にはガードバンカー１５が配置されている。そしてグリーン１２の所定の位置にホール１６が配されている。ホール１６がこのコースのゴールになる。
【００１７】
次にグリーン１２上におけるホール１６の構成を図２によって説明する。ホール１６は、その周囲に芝の長さが少しだけ長いカラー２１が帯状に形成され、このカラー２１によって囲まれるようになっている芝生から成る面がグリーン１２である。そしてグリーン１２上には直径が１０８ｍｍの中心孔２２が形成されるとともに、この中心孔２２内に外径が１０８ｍｍの例えばステンレス鋼から成るカップ２３が挿入され、このカップ２３の下端側の中心部に、旗２４を取付けたポール２５の基端側のヘラール部を保持する保持部が形成されており、この保持部に上記ポール２５が保持されている。なお中心孔２２の大きさは、通常のカップ２３の外径と等しくなくてもよく、ポール２５を保持できればよいので、直径が１０〜１０９０ｍｍの範囲内の大きさであってよい。
【００１８】
上記カップ２３を挿入した中心孔２２の外周部には、図２および図３に示すように、円形凹部２６が形成されている。この円形凹部２６は、中心孔２２よりも大きな円形の凹みである。ここで円形凹部２６は、その外周部の直径が１０９〜１０１０ｍｍの範囲内であって、例えば直径が６００ｍｍの大きさである。円形凹部２６の外周部の直径が大きいと、この凹部２６内にボールを入れるのが容易になり、これによって初心者あるいは低年齢のジュニアのプレーヤでも、容易にパッティングを行なうことができる。またそのパッティングの回数も少なくなる。円形の凹部２６の大きさが小さくなるほどこの凹部２６内にボールを入れるのが次第に難しくなる。従って円形の凹部２６の直径は、ゲームをするプレーヤの技能や年齢等に応じて適宜設定されてよい
また円形の凹部２６の高さは、１０〜３０ｍｍの範囲内である。深さがあまり小さいとボールが凹部２６から再びはじき出されたり、飛出したりすることになる。また３００ｍｍ以上の深さになると、入ったボールを取り難くなる問題がある。そこで１０〜３００ｍｍの範囲内が適切である。円形凹部２６の中心部に形成される中心孔２２は、図３および図４Ａに示すように、ここでは、直径が１０８ｍｍであって、深さが１０〜３００ｍｍの範囲内である。このような中心孔２２内にカップ２３を装着し、このカップ２３によって、旗２４を先端部に取付けたポール２５の基端側を保持するようにしてよい。
【００１９】
また上記円形の凹部２６の底部には、柔軟なシートが敷設されることが好適である。シートとしては、布、ビニール、スポンジ、その他の柔らかいプラスチック製のシートが用いられてよい。なお金属製の硬いシートは、上方からボールが直接この凹部内に入ったときに反発して跳ね返って出てしまう可能性があるので、使用しない方がよい。そしてこのように柔軟なシート３２を凹部２６の底部に敷設することによって、ゲーム中にボールが泥で汚れなくなる利点がある。
【００２０】
以上のような構成に成るグリーン１２上におけるホール１６によると、中心孔２２の外周側に、この中心孔２２よりも十分に大きな円形の凹部２６が形成されることになり、この凹部２６をゲームの目標としてボールを入れるようにしてよい。従って実質的にグリーン１２上におけるホール１６の大きさが外周側に大きく拡がることになり、ゴルフゲームの、とくにグリーン１２上におけるパッティングが非常に容易になる。従って、初心者、高齢者、低年齢者等のような比較的ゴルフの技能の低い人でも、容易にパッティングを行ない得るようになる。またこのような大きな円形の凹部２６を備えるホール１６によると、ゲームの流れが滞ることがなく、次の組のプレーヤが長い時間待機させられてゴルフ場に渋滞が発生するのを防止することができる。またパッティングが非常に容易に行ない得ることから、ゴルフ離れを防止し、あるいはまたゴルフ人口を増加させる効果を生ずる。
【００２１】
ここで、十分に高い技能を修得したプレーヤの場合には、グリーン１２上に円形の凹部２６を備えない通常のホールを設けるようにすればよい。また凹部２６を備えたホールで、ボールを打上げて直接カップ２３にボールを入れるチップイン、あるいはホールインワンによってゲームを楽しむことも可能である。
【００２２】
次に変形例について説明する。図４Ｂは、中心部に中心孔２２が形成された円形の凹部２６の底面の形状を、図４Ａに示すような平坦な構成に代えて、中心孔２２の部分が最も低く、カップ２３を有する中心孔２２に向かって下方に傾斜させるようにしたものである。また図４Ｃは、円形凹部２６の底面が、カップ２３が配されている中心孔２２に向かって上方に傾斜するようにし、中心孔２２の部分が最も高くなるようにしたものである。このような底面の傾斜構造によると、凹部２６内に入ったボールが、外周側に転がるために、凹部２６からボールを取出すのが容易になる。図４Ｄはさらに別の構成を示している。ここでは円形凹部２６を複数の多段型の凹部から構成しており、ここでは二段になっており、外周から中心側に向かって低くなるようにした多段の円形凹部を形成している。
【００２３】
図５および図６は、さらに別の変形例のホールを示している。ここでは、ホール１６の円形の凹部２６の外周側の壁面に崩落防止用押え２７を装着するようにしている。一般に円形凹部２６は、カッタ等で所定の深さまでグリーン１２上の芝生と土とを除去することによって形成される。ここで円形凹部２６の大きさが大きいと、その周囲を歩く際に円形凹部２６の垂直面が崩壊する可能性がある。そこでこのような崩壊を防止するために、図６Ａに示すようなリング状をなす崩落防止用押え２７を装着する。この崩落防止用押え２７は、円形凹部２６の内周面の大きさと一致する寸法になっており、変形させながら円形凹部２６に装着される。ここで崩落防止用押え２７は、プラスチックあるいはステンレス鋼等によって予めリング状であって所定の寸法に形成される。
【００２４】
図６Ｂは、上記崩落防止用押え２７の変形例であって、ここではエンドレスなリング状ではなく、一端が切断された帯板２８によって構成され、このような帯板２８を変形させながら円形凹部２６の垂直な壁面の内周部に装着する。このような構成によると、円形凹部２６の大きさが異なる場合であっても、押え帯板２８のオーバラップ部の寸法によって吸収でき、フレキシブルに対応することが可能になる。
【００２５】
なお上記実施の形態あるいは変形例においては、円形凹部２６の中心部にカップ２３を挿入した中心孔２２を形成しているが、カップ孔２９の位置は、図７に示すように、円形凹部２６内において必ずしも中心部である必要がなく、中心に対して偏心した位置に形成することも可能である。また場合においては、必要に応じて複数のカップ孔２９を形成しておき、これらの内の何れかを選択して用いて旗２４を備えるポール２５を立てるようにしてもよい。
【００２６】
以上本願考案を図示の実施の形態によって説明したが、本願考案は上記実施の形態によって限定されることなく、本願考案の技術的思想の範囲内において各種の変更が可能である。例えば上記実施の形態における円形凹部２６の直径や深さ等については、行なわれるゲーム、参加するプレーヤの技能や体力等に応じて各種の変更が可能である。
【産業上の利用可能性】
【００２７】
本願考案は、ゴルフ場でのゴルフゲームに用いられるゴルフ用ホールとして利用可能である。
【符号の説明】
【００２８】
１０  ティーグラウンド
１１  フェアウエイ
１２  グリーン
１３  ティーマーク
１４  フェアウエイバンカー
１５  ガードバンカー
１６  ホール
２１  カラー
２２  中心孔
２３  カップ
２４  旗
２５  ポール
２６  円形凹部
２７  崩落防止用押え
２８  押え帯板
２９  カップ孔
【図１】
0003176866.tif 000003
【図２】
0003176866.tif 000004
【図３】
0003176866.tif 000005
【図４】
0003176866.tif 000006
【図５】
0003176866.tif 000007
【図６】
0003176866.tif 000008
【図７】
0003176866.tif 000009